(57)【要約】      （修正有）【課題】複雑な形状や大型のワークを安定的に取扱い、各部の厚みを簡易に測定する厚み測定装置を提供する。【解決手段】置台１０１に第１支持部１０と第２支持部２０を設け、第１支持部１０に支持される測長部３０の測定子Ｓと、第２支持部２０に支持されるワーク受子Ａとを相対移動可能に対向配置し、測定子Ｓとワーク受子Ａの間に置台１０１の前方から挿入されて挟まれるワークの被測定部の厚みを測長部３０により測定する厚み測定装置１００であって、第２支持部２０が置台１０１から立上がる棒状をなし、その先端部にワーク受子Ａを支持してなるもの。【選択図】図１
0003191780.tif 000002
【実用新案登録請求の範囲】
【請求項１】
置台に第１支持部と第２支持部を設け、第１支持部に支持される測長部の測定子と、第２支持部に支持されるワーク受子とを相対移動可能に対向配置し、測定子とワーク受子の間に置台の前方から挿入されて挟まれるワークの被測定部の厚みを測長部により測定する厚み測定装置であって、
第２支持部が置台から立上がる棒状をなし、その先端部にワーク受子を支持してなる厚み測定装置。
【請求項２】
前記第２支持部が、ワーク受子を支持している先端部のワーク受子に対する反対側に、測定子とワーク受子の間に置台の前方から挿入されて挟まれるワークの被測定部に連なる他の部分を導入可能にするワーク導入スペースを形成してなる請求項１に記載の厚み測定装置。
【請求項３】
前記第２支持部が、
置台の側に位置する基部と、ワーク受子を支持する先端部とを有し、
基部と先端部とがつながり、基部を先端部よりも置台の後方寄りに位置付ける折れ曲がり部を備えてなる請求項２に記載の厚み測定装置。
【請求項４】
前記測長部がダイヤルゲージである請求項１〜３のいずれかに記載の厚み測定装置。
【考案の詳細な説明】
【技術分野】
【０００１】
本考案は厚み測定装置に関する。
【背景技術】
【０００２】
従来の厚み測定装置として、特許文献１、２に記載のものがある。
【０００３】
特許文献１に記載の厚み測定装置は、Ｕ字状のフレームの一端側に設けたダイヤルゲージからなる測長部の測定子と、他端側に設けたワーク受子とを相対移動可能に対向配置し、測定子とワーク受子の間にワークを挟み、このときの測長部の読みからワークの厚みを測定するものである。使用者は、一方の手でフレームを把持し、他方の手でワークを保持する。
【０００４】
特許文献２記載の厚み測定装置は、置台の上部に設けたブラケットにダイヤルゲージからなる測長部を設け。置台の下部にワーク受台を設けてある。ワーク受台の平面の上にワークをセットし、測長部の測定子を下降させてワークに当接させ、このときの測長部の読みからワークの厚みを測定するものである。
【先行技術文献】
【特許文献】
【０００５】
【特許文献１】実登録3065835号公報
【特許文献２】特開平10-185629号公報
【考案の概要】
【考案が解決しようとする課題】
【０００６】
特許文献１に記載の厚み測定装置は、一方の手でフレームを把持する必要があり、ワークを片手だけで保持しなければならない。従って、複雑な形状や大型のワークを安定的に保持しづらいし、そのようなワークを動かしながらその表面に沿う各部の厚みを連続的に多点測定することに困難がある。
【０００７】
また、特許文献１に記載の厚み測定装置において、測定子とワーク受子は、Ｕ字状のフレームのＵ字溝の開口部に配置されており、測定子とワーク受子の間に挟まれるワークのＵ字溝への挿入長はＵ字溝の奥行寸法に限定され、大型のワークについてはその外周に囲まれる内側中央部位の厚みを測定できない。
【０００８】
特許文献２に記載の厚み測定装置は、ワークをワーク受台の平面の上にセットし、その上方から下降してくる測定子をワークに当接させてその厚みを測定するものである。従って、湾曲部をもつワークをワーク受台の平面の上にセットしたとき、測長部はワークの上面がワーク受台に対する高さを測定できるものの、その湾曲部の各部の厚みは測定できない。
【０００９】
本考案の課題は、複雑な形状や大型のワークを安定的に取扱い、各部の厚みを簡易に測定することにある。
【課題を解決するための手段】
【００１０】
請求項１に係る考案は、置台に第１支持部と第２支持部を設け、第１支持部に支持される測長部の測定子と、第２支持部に支持されるワーク受子とを相対移動可能に対向配置し、測定子とワーク受子の間に置台の前方から挿入されて挟まれるワークの被測定部の厚みを測長部により測定する厚み測定装置であって、第２支持部が置台から立上がる棒状をなし、その先端部にワーク受子を支持してなるようにしたものである。
【００１１】
請求項２に係る考案は、請求項１に係る考案において更に、前記第２支持部が、ワーク受子を支持している先端部のワーク受子に対する反対側に、測定子とワーク受子の間に置台の前方から挿入されて挟まれるワークの被測定部に連なる他の部分を導入可能にするワーク導入スペースを形成してなるようにしたものである。
【００１２】
請求項３に係る考案は、請求項２に係る考案において更に、前記第２支持部が、置台の側に位置する基部と、ワーク受子を支持する先端部とを有し、基部と先端部とがつながり、基部を先端部よりも置台の後方寄りに位置付ける折れ曲がり部を備えてなるようにしたものである。
【００１３】
請求項４に係る考案は、請求項１〜３のいずれかに係る考案において更に、前記測長部がダイヤルゲージであるようにしたものである。
【考案の効果】
【００１４】
（請求項１）
(a)測長部が置台に設けた第１支持部に支持されるから、使用者は測長部を把持する必要がない。従って、使用者は、複雑な形状や大型のワーク等、ワークの態様に応じて、ワークを両手で安定的に保持できる。これにより、使用者は、そのようなワークを容易に動かしながらその表面に沿う各部の厚みを連続的に多点測定できる。
【００１５】
(b)置台に立設される第１支部部と第２支持部の間隔は必要により十分大きく設定できる。従って、ワークの外周に囲まれる内側中央部位の厚みを測定子とワーク受子の間に挟んで測定するとき、ワークの外縁が第２支持部に当たらないように上述の間隔を設定しておくことで、大型のワークについてもその内側中央部位の厚みを測定できる。
【００１６】
(c)ワークを置台から立ち上がる棒状の第２支持部の先端部に支持したワーク受子の上にセットし、その上方から下降してくる測定子をワークに当接させてその厚みを測定できる。従って、湾曲部をもつワークは上述のセット時に、棒状の第２支持部の周辺に垂れ下がるようにセットされるものになり、その湾曲部の各部を確実に測定子とワーク受子の間に挟んでその厚みを測定できる。
【００１７】
（請求項２）
(d)第２支持部が、ワーク受子を支持している先端部のワーク受子に対する反対側に、測定子とワーク受子の間に置台の前方から挿入されて挟まれるワークの被測定部に連なる他の部分を導入可能にするワーク導入スペースを形成するものとされる。従って、Ｃ字状（Ｕ字状でも可）断面をもつワークについて、ワークは第２支持部に支持されるワーク受子の上部にＣ字の開口部を通し、更にはＣ字の内面を差し込みできる。これにより、ワークのＣ字の一端側の被測定部を測定子とワーク受子の間に挟み、Ｃ字の他端側（ワークの他の部分）を第２支持部が形成するワーク導入スペースに導入することができる。その後、測定子とワーク受子の間においてワークをＣ字の一端側から他端側に動かすことで、Ｃ字の各部の厚みを連続的に測定できる。
【００１８】
（請求項３）
(e)第２支持部が折れ曲がり部を備えることにより、上述(d)のワーク導入スペースを簡易に形成できる。
【００１９】
（請求項４）
(f)測長部をダイヤルゲージとすることで、ダイヤルゲージに内蔵されているバネが測定子を付勢し、この測定子がワーク受子との間に挟まれるワークに常に測定圧を付与するものになるから、使用者がワークを測定子とワーク受子の間で動かすだけでその表面に沿う各部の厚みを簡易に、連続的に多点測定できる。
【図面の簡単な説明】
【００２０】
【図１】図１は厚み測定装置を示す斜視図である。
【図２】図２は大型湾曲ワークの厚み測定状態を示す側面図である。
【図３】図３はＣ字断面ワークの厚み測定状態を示す側面である。
【考案を実施するための形態】
【００２１】
図１〜図３に示した厚み測定装置１００は、置台１０１に第１支持部１０と第２支持部２０を設ける。そして、第１支持部１０に支持される測長部３０の測定子Ｓと、第２支持部２０に支持されるワーク受子Ａとを後述する如くに相対移動可能に対向配置し、測定子Ｓとワーク受子Ａの間に置台１０１の前方から挿入されて挟まれるワークＷの被測定部Ｋの厚みを測長部３０により測定する。尚、本実施例において、置台１０１上で、測長部３０の測定子Ｓとワーク受子Ａが対向している側を「前」、第１支持部１０と第２支持部２０が設けられている側を「後」とする。
【００２２】
置台１０１は、鋳物、樹脂等からなり、例えば矩形平板状をなし、下面の４位置（３位置等でも可）に設けた脚部１０２を介して床面又は机面等に設置される。置台１０１は、左右の両側部に把手１０３、１０３を備える。
【００２３】
第１支持部１０は、例えば、置台１０１の後方寄り上面に固定されて鉛直上方に立ち上がる鉛直部１１と、鉛直部１１の上端部から前方に延びる水平部１２とを備えた逆Ｌ字状をなす。第１支持部１０は、水平部１２の前端部に取着した取付ブラケット１３に、測長部（本実施例ではダイヤルゲージ４０のステム）をクランプ可能にしている。
【００２４】
第２支持部２０は、置台１０１の前方寄り上面に固定され、置台１０１から立上がる棒状をなし、その先端部に尖り状又は針状のワーク受子Ａを支持している。ワーク受子Ａの先端面は球面状等をなすものとすることができる。
【００２５】
測長部３０は、本実施例ではダイヤルゲージ４０であり、ダイヤルゲージ４０のステムから下方に突き出る棒状のスピンドル４１の先端部に尖り状又は針状の測定子Ｓを設けている。厚み測定装置１００において、第１支持部１０に支持したダイヤルゲージ４０（測長部３０）の測定子Ｓと、第２支持部２０に支持したワーク受台Ａは同一軸線上（図２、図３のＬ）に位置付けられる。そして、ダイヤルゲージ４０は、尖り状又は針状の測定子Ｓを尖り状又は針状のワーク受子Ａに対してその鉛直上下方向に沿う同一軸線上で相対移動可能にし、それらの尖り点を接離可能にする状態下で、測定子Ｓとワーク受子Ａの間に挟んだワークＷにおける被測定部Ｋの厚みを測定する。
【００２６】
更に、厚み測定装置１００にあっては、第２支持部２０が、ワーク受子Ａを支持している先端部のワーク受子Ａに対する反対側（ワーク支持部２０における基部２１の側）に、測定子Ｓとワーク受子Ａの間に置台１０１の前方から挿入されて挟まれるワークＷの被測定部Ｋに連なる他の部分を導入可能にするワーク導入スペースＦを形成している。本実施例では、厚み測定装置１００において、第２支持部２０のワーク受子Ａを支持している先端部２２の下部空間をワーク導入スペースＦとしている。
【００２７】
即ち、第２支持部２０は、置台１０１の側に位置する基部２１と、ワーク受子Ａを支持する先端部２２とを有する。そして、第２支持部２０は、基部２１と先端部２２を接続する折れ曲がり部２３を有し、折れ曲がり部２３は基部２１を先端部２２よりも置台１０１の後方寄りに位置付けるものである。本実施例において、基部２１は置台１０１から鉛直上方に立ち上がる太径状をなし、先端部２２は鉛直方向に沿う細径短尺状をなし、折れ曲がり部２３は基部２１の上端部から前方の先端部２２の下端部に向けて斜め上方に延びる細径状をなす。基部２１、先端部２２は、円形断面に限らず、角形断面からなるものでも良い。
【００２８】
以下、本実施例の作用について説明する。
(a)測長部３０が置台１０１に設けた第１支持部１０に支持されるから、使用者は測長部３０を把持する必要がない。従って、使用者は、複雑な形状や大型のワークＷ1等、ワークＷの態様に応じて、ワークＷを両手で安定的に保持できる。これにより、使用者は、そのようなワークＷを容易に動かしながらその表面に沿う各部の厚みを連続的に多点測定できる。
【００２９】
(b)置台１０１に立設される第１支部部１０と第２支持部２０の間隔は必要により十分大きく設定できる。従って、ワークＷの外周に囲まれる内側中央部位の厚みを測定子Ｓとワーク受子Ａの間に挟んで測定するとき、ワークＷの外縁が第２支持部２０に当たらないように上述の間隔を設定しておくことで、図２に示す如く、大型のワークＷ1についてもその内側中央部位の厚みを測定できる。
【００３０】
(c)ワークＷを置台１０１から立ち上がる棒状の第２支持部２０の先端部２２に支持したワーク受子Ａの上にセットし、その上方から下降してくる測定子ＳをワークＷに当接させてその厚みを測定できる。従って、図２に示す如く、湾曲部をもつワークＷ1は上述のセット時に、棒状の第２支持部２０の周辺に垂れ下がるようにセットされるものになり、その湾曲部の各部を確実に測定子Ｓとワーク受子Ａの間に挟んでその厚みを測定できる。
【００３１】
(d)第２支持部２０が、ワーク受子Ａを支持している先端部２２のワーク受子Ａに対する反対側に、測定子Ｓとワーク受子Ａの間に置台１０１の前方から挿入されて挟まれるワークＷの被測定部Ｋに連なる他の部分を導入可能にするワーク導入スペースＦを形成するものとされる。従って、図３に示す如く、Ｃ字状（Ｕ字状でも可）断面をもつワークＷ2について、ワークＷは第２支持部２０に支持されるワーク受子Ａの上部にＣ字の開口部を通し、更にはＣ字の内面を差し込みできる。これにより、ワークＷのＣ字の一端側の被測定部Ｋを測定子Ｓとワーク受子Ａの間に挟み、Ｃ字の他端側（ワークＷの他の部分）を第２支持部２０が形成するワーク導入スペースＦに導入することができる。その後、測定子Ｓとワーク受子Ａの間においてワークＷをＣ字の一端側から他端側に動かすことで、Ｃ字の各部の厚みを連続的に測定できる。
【００３２】
(e)第２支持部２０が折れ曲がり部２３を備えることにより、上述(d)のワーク導入スペースＦを簡易に形成できる。
【００３３】
(f)測長部３０をダイヤルゲージ４０とすることで、ダイヤルゲージ４０に内蔵されているバネが測定子Ｓを付勢し、この測定子Ｓがワーク受子Ａとの間に挟まれるワークＷに常に測定圧を付与するものになるから、使用者がワークＷを測定子Ｓとワーク受子Ａの間で動かすだけでその表面に沿う各部の厚みを簡易に、連続的に多点測定できる。
【００３４】
以上、本考案の実施例を図面により詳述したが、本考案の具体的な構成はこの実施例に限られるものではなく、本考案の要旨を逸脱しない範囲の設計の変更等があっても本考案に含まれる。例えば、第２支持部２０がワーク受子Ａを支持している先端部２２のワーク受子Ａに対する反対側に形成するワーク導入スペースＦは、上記実施例の基部２１、先端部２２及び折れ曲がり部２３からなる第２支持部２０によって構成されるものに限らず、いかなる形態の第２支持部２０によって形成されても良い。
【００３５】
また、本考案の測長部３０は、ダイヤルゲージに限らず、マイクロゲージ等、いかなる方式からなるものでも良い。
【産業上の利用可能性】
【００３６】
本考案によれば、複雑な形状や大型のワークを安定的に取扱い、各部の厚みを簡易に測定することができる。
【符号の説明】
【００３７】
１０  第１支持部
２０  第２支持部
２１  基部
２２  先端部
２３  折れ曲がり部
３０  測長部
４０  ダイヤルゲージ
１００  厚み測定装置
１０１  置台
Ｓ  測定子
Ａ  ワーク受子
Ｆ  ワーク導入スペース
Ｗ、Ｗ1、Ｗ2  ワーク
Ｋ  被測定部
【図１】
0003191780.tif 000003
【図２】
0003191780.tif 000004
【図３】
0003191780.tif 000005